(57)【要約】【課題】収納棚の支柱管状体構造を提供する。【解決手段】本考案収納棚の支柱管状体構造は、前記支柱管状体１０は、外周方向を複数に等分した棚板連結部３１を連結する凸部１１を有し、前記凸部１１の外周から管中心に向かって窪み部１１１が形成され、該窪み部１１１は水平断面が弧状面を有すると共に、前記凸部１１の外周表面には、周方向の上下方向に所定間隔で刻設した複数の環状のスロット１２を設けたことを特徴とする。したがって、収納棚の組み合わせ角度は、少なくとも、支柱管状体１０を中心点として、３０度毎で、３６０度の角度の範囲において、囲繞組み合わせの変化が可能であると共に、使用者が必要に応じて、棚板連結部３１の高度、及び、他の収納棚３０の棚板連結部３１間との距離を調節することが出来る。【選択図】図３
0003106749.tif 000002
【実用新案登録請求の範囲】
【請求項１】
収納棚の支柱管状体構造であって、前記支柱管状体は、外周方向を複数に等分した棚板連結部を連結する凸部を有し、前記凸部の外周から管中心に向かって窪み部が形成され、該窪み部は水平断面が弧状面を有すると共に、前記凸部の外周表面には、周方向に上下方向に所定間隔で刻設した複数の環状のスロットを設けたことを特徴とする収納棚の支柱管状体構造。
【請求項２】
前記支柱管状体構造の前記凸部は、前記支柱管状体の管径と重量負荷に応じて、単一または複数の前記凸部を一組として利用して、前記支柱管状体に連結される嵌板を配設し、収納棚の棚板連結部と共に組み立てるようにしたことを特徴とする請求項１に記載の収納棚の支柱管状体構造。
【請求項３】
前記支柱管状体と前記棚板連結部の組み合わせの水平方向の角度は、少なくとも、支柱管状体を中心点として、３６０度の角度の範囲において、囲繞組み合わせ変化が可能であることを特徴とする請求項１に記載の収納棚の支柱管状体構造。
【請求項４】
前記支柱管状体は、外周方向を複数に等分した少なくとも三つ以上の凸部を有することを特徴とする請求項１に記載の収納棚の支柱管状体構造。
【考案の詳細な説明】
【技術分野】
【０００１】
本考案は、収納棚の支柱管状体構造に関するものであって、特に、多方向性、及び、棚板連結部の組み合わせが変化可能な支柱管状体構造に関するものである。
【背景技術】
【０００２】
現在一般に見られる組み合わせ式収納棚構造は、図１で示されるように、複数の環溝２を有する支柱管状体３に、一対の半円形状を一組とした環状取付部材４を囲繞して取り付け、この支柱管状体３に棚板連結部の四隅に形成されているスリーブ５を、それぞれ、「上から下」に嵌めこみ収納棚１を完成するようにしている。
このような収納棚構造の最大の欠点は、棚板連結部１の左右、或いは、前後に棚板連結部１を拡張したい場合、主体構造の棚板連結部の組み合わせが、「上から下」の連接に制限されているために、棚板連結部１を拡張する時、先に、支柱管状体３とスリーブとの連接個所を部分的に取り外した後でないと、次の拡張動作が行えないので、非常に不便である。
【０００３】
また、図２で示されるように、支柱管状体３、及び、その組み合わせ設計を改良したものは、主体構造である支柱管状体３の断面が、Ｈ字型、或いは、円形で、H字型の二つの窪み６が嵌合連接部になっている。支柱管状体３上には、上下方向に等間隔の複数の水平貫通孔７、或いは、凹槽を設置している。収納棚１の組み合わせは、開口状を呈する差込片８を支柱管状体３に連接し、半開口状の連結部９によって両者を保持し、この支柱管状体３と収納棚１の外周４隅に配設した嵌合部１ａとを連結して組み立てている。
この従来技術においては、収納棚１を拡張したい場合、支柱管状体３一側において、順に、差込片８、連結部９を嵌接するだけでよく、元の棚板連結部１を取り外す必要がない。この改良方法は、前述の公知の支柱管状体構造の問題を改善している。
しかし、前述の収納棚のような構造は、左右方向の組み合わせだけが提供され、特殊な角度や、特殊な壁面の交差する位置に設置するのには適さない。
【考案の開示】
【考案が解決しようとする課題】
【０００４】
本考案は、支柱管状体構造であって、異なる角度の壁部の交差位置、展示場等の場所に応じて、若干の嵌合接続部材、棚板連結部を使用し、収納棚の組み合わせ角度及び形態が任意に変化できる支柱管状体構造を提供することを目的とする。
【課題を解決するための手段】
【０００５】
本考案の請求項１の考案は、収納棚の支柱管状体構造であって、前記支柱管状体は、外周方向を複数に等分した棚板連結部を連結する凸部を有し、前記凸部の外周から管中心に向かって窪み部が形成され、該窪み部は水平断面が弧状面を有すると共に、前記凸部の外周表面には、周方向に上下方向に所定間隔で刻設した複数の環状のスロットを設けたことを特徴とする。
【０００６】
請求項２の考案は、請求項１に記載の収納棚の支柱管状体構造において、前記支柱管状体構造の前記凸部は、前記支柱管状体の管径と重量負荷に応じて、単一または複数の前記凸部を一組として利用して、前記支柱管状体に連結される嵌板を配設し、収納棚の棚板連結部と共に組み立てるようにしたことを特徴とする。
請求項３の考案は、請求項１に記載の収納棚の支柱管状体構造において、前記支柱管状体と前記棚板連結部の組み合わせの水平方向の角度は、少なくとも、支柱管状体を中心点として、３６０度の角度の範囲における囲繞組み合わせ変化が可能であることを特徴とする。
請求項４の考案は、請求項１に記載の収納棚の支柱管状体構造において、前記支柱管状体は、外周方向を複数に等分した少なくとも三つ以上の凸部を有することを特徴とする。
【考案の効果】
【０００７】
本考案は、収納棚の組み合わせ角度が、少なくとも、支柱管状体１０を中心点として、３０度毎で、３６０度の角度範囲における外周側に組み合わせの変化が可能である。支柱管状体１０上には、複数の環状スロット１２を有し、嵌板２０の内壁面に突出した突起２１により、スロット１２と係合する構造であるため、使用者が必要に応じて、棚板連結部３１の高度、及び、他の収納棚３０の棚板連結部３１間の距離を調節することが出来る。
【考案を実施するための最良の形態】
【０００８】
以下本考案の具体的な実施例について図面を基に説明する
【実施例１】
【０００９】
図３の（ａ），（ｂ）は本考案の収納棚の支柱管状体構造を示す第１実施例を示す分解斜視図並びに嵌板の裏面図である。
本考案の収納棚３０の構造は、４本の支柱管状体１０（１本のみ示す）と、前記支柱管状体１０に取付けられる複数の嵌板２０と、矩形状の収納棚３０の４角隅に配設される棚板連結部３１からなる。
【００１０】
該支柱管状体１０は、円周方向が６つに等分された位置に、棚板連結部３１を設置する凸部１１を有し、凸部１１の外周から管中心に向かって窪み部１１１が形成されている。窪み部１１１は水平断面が弧状面を有している。前記凸部１１の外周表面には、周方向に上下方向に所定間隔で刻設した複数の環状のスロット１２を有し、スロット１２のスロット幅は、前記嵌板２０の突起２１を嵌合接続するのに充分な大きさとなっている。
【００１１】
該嵌板２０は、支柱管状体１０の凸部１１外形に合わせて、ほぼ半環形状の下方大径の斜面体になっており、両端側は内側に折り曲げられて前記窪み部１１１に適合すると共に、内壁面には突出した突起２１を有し、前記支柱管状体１０の凸部１１のスロット１２に係合するようになっている。
【００１２】
前記収納棚３０は、物を載置する矩形状の網状のトレイ体で、四隅に前記嵌板２０に嵌合接続できる棚板連結部３１が形成されている。
【００１３】
上述の三つの部材により組み立てるには、まず、嵌板２０を支柱管状体１０の凸部１１位置に嵌合接続すると共に、内壁面の突起２１を凸部１１のスロット１２に係合させて、しっかりと固定する。更に、物の重量により脱落するのを防止するため、棚板連結部３１を嵌板２０に連結し、嵌板２０外形の斜面テーパにより、重力による下滑を阻止している。その組み立て状態は図４で示されている。
【００１４】
更に、本考案の重点である支柱管状体１０において、６個の凸部１１は、その管径と重量負荷に応じて、二個の凸部１１を一組にしたり、単一で凸部１１を設置したりして、嵌板２０、及び、棚板連結部３０と共に、収納棚３０として組み立てることが出来る。故に、収納棚３０の水平面の組み合わせ角度は、少なくとも、支柱管状体１０を中心点として、３０度毎で、３６０度の角度範囲において囲繞組み合わせの変化が可能である。
【実施例２】
【００１５】
図５は、本考案の収納棚の支柱管状体構造のおける水平方向に併設状態に拡張組み合わせた状態を示す全体斜視図である。
この実施例においては、収納棚の支柱管状体構造は前述の第１実施例と全く同一であるが、収納棚３０の４角隅に夫々配設される支柱管状体１０が、併設部分では互いに共用されており、２つの収納棚３０に対し支柱管状体１０が６本で構成できるようにしたものである。
【実施例３】
【００１６】
図６は、本考案の収納棚の支柱管状体構造において、矩形状の収納棚の対角線上の角部同士を連接して併設状態に拡張組み合わせた状態を示す全体斜視図である。
この実施例においては、収納棚の支柱管状体構造は前述の第１実施例と全く同一であるが、収納棚３０の４角隅に夫々配設される支柱管状体１０が、併設部分では互いに共用されており、２つの収納棚３０に対し支柱管状体１０が７本で構成できるようにしたものである。
【実施例４】
【００１７】
図７は、本考案の収納棚の支柱管状体構造において、矩形状の２つの収納棚の角部同士を所望の位置状態に連接して併設状態に拡張組み合わせた状態を示す全体斜視図である。
この実施例においては、収納棚の支柱管状体構造は前述の第１実施例と全く同一であるが、収納棚３０の２角隅に夫々配設される支柱管状体１０が、併設部分では互いに共用されており、３つの収納棚３０に対し支柱管状体１０が７本で構成できるようにしたものである。
【実施例５】
【００１８】
図８は、本考案の収納棚の支柱管状体構造において、矩形状の３つの収納棚の角部同士を所望の位置状態に連接して併設状態に拡張組み合わせた状態を示す全体斜視図である。
この実施例においては、収納棚の支柱管状体構造は前述の第１実施例と全く同一であるが、収納棚３０の２角隅に夫々配設される支柱管状体１０が、併設部分では互いに共用されており、３つの収納棚３０に対し支柱管状体１０が９本で構成できるようにしたものである。
【図面の簡単な説明】
【００１９】
【図１】従来の収納棚の支柱管状体及びその組み立て方式を示した分解図である。
【図２】従来のもう一つの収納棚の支柱管状体及びその組み立て方式を示した分解図である。
【図３】（ａ），（ｂ）は本考案の収納棚の支柱管状体構造の第１実施例を示すもので、（ａ）は分解斜視図、（ｂ）は嵌板の裏面図である。
【図４】本考案の収納棚の支柱管状体構造の第１実施例の組み立て斜視図である。
【図５】本考案の収納棚の支柱管状体構造の第２実施例の組み立て状態を示す斜視図である。
【図６】本考案の収納棚の支柱管状体構造の第３実施例の組み立て状態を示す斜視図である。
【図７】本考案の収納棚の支柱管状体構造の第４実施例の組み立て状態を示す斜視図である。
【図８】本考案の収納棚の支柱管状体構造の第５実施例の組み立て状態を示す斜視図である。
【符号の説明】
【００２０】
１０…  支柱管状体
１１…  凸部
１１１…窪み部
１２…  スロット
２０…  嵌板
２１…  突起    
３０…  収納棚
３１…  棚板連結部
【図１】
0003106749.tif 000003
【図２】
0003106749.tif 000004
【図３】
0003106749.tif 000005
【図４】
0003106749.tif 000006
【図５】
0003106749.tif 000007
【図６】
0003106749.tif 000008
【図７】
0003106749.tif 000009
【図８】
0003106749.tif 000010